(57)【要約】【課題】本発明は、乗降床の先端への櫛板の取付け不具合を事前に検出して事故の発生を未然に防止し得る乗客コンベアの櫛板異常検出装置を提供することにある。【解決手段】本発明は、櫛板１４と乗降床８,９の取付け面１２，１７の一方側に第１の導電体（２０）を設けると共に、前記取付け面の他方側に前記第１の導電体（２０）と接触により電気的に導通される第２の導電体（２２）を設け、かつ、これら第１の導電体と第２の導電体との導通の変化を検出して運転を停止させる異常検出手段を設けたのである。【選択図】図１
2008213990.tif 000002
【特許請求の範囲】
【請求項１】
進行方向に沿って複数のクリートを設けた踏板と、この踏板への乗降を行うための乗降床と、この乗降床の先端に取付けられ前記クリートと非接触で噛み合う櫛歯を有する櫛板とを備え、前記櫛板の乗降床への取付け面に導電体を不連続に敷設すると共に、この不連続の導電体と接触し該不連続の導電体を直列に接続して検出回路を構成する複数の中継端子を前記乗降床の櫛板取付け面に設け、これら中継端子のうち両端に位置する中継端子を電源に接続し、かつ前記検出回路の異常を検出する異常検出手段を設けたことを特徴とする乗客コンベアの櫛板異常検出装置。
【請求項２】
循環移動する踏板と、この踏板の踏面に進行方向に沿って設けられた複数のクリートと、この踏板への乗降を行うための乗降床と、この乗降床の先端に取付けられ前記クリートと非接触で噛み合う櫛歯を有する櫛板と、この櫛板に不連続に敷設した導電体と、前記乗降床側に設けられ前記不連続の導電体を直列に接続して検出回路を構成する複数の中継端子と、これら中継端子のうち櫛板の両端に位置する中継端子に電流を供給する電源と、前記検出回路を流れる電流の変化を検出して異常を検出する異常検出手段とを備えたことを特徴とする乗客コンベアの櫛板異常検出装置。
【請求項３】
循環移動する踏板と、この踏板の踏面に進行方向に沿って設けられた複数のクリートと、この踏板への乗降を行うための乗降床と、この乗降床の先端に取付けられ前記クリートと非接触で噛み合う櫛歯を有する櫛板と、この櫛板に不連続に敷設した導電体と、この導電体に対向する乗降床側に設けられ前記不連続の導電体を直列に接続して検出回路を構成する複数の中継端子と、これら中継端子のうち櫛板の両端に位置する中継端子に電流を供給する電源と、前記検出回路を流れる電流の変化を検出して異常を検出する異常検出手段と、この異常検出手段による異常検出に基づいて運転を停止する運転制御手段とを備え、前記検出回路は前記櫛板を前記乗降床に取付けることにより形成されるように構成したことを特徴とする乗客コンベアの櫛板異常検出装置。
【請求項４】
循環移動する踏板と、この踏板の踏面に進行方向に沿って設けられた複数のクリートと、この踏板への乗降を行うための乗降床と、この乗降床の先端に取付けられ前記クリートと非接触で噛み合う櫛歯を有する櫛板と、この櫛板に不連続に敷設した導電体と、この導電体に対向する乗降床側に設けられ前記不連続の導電体を直列に接続して検出回路を構成する複数の中継端子と、これら中継端子のうち櫛板の両端に位置する中継端子に電流を供給する電源と、前記導電体を流れる電流の変化を検出して異常を検出する異常検出手段と、この異常検出手段による異常検出に基づいて異常を報知する異常報知手段と、前記異常検出手段による異常検出に基づいて運転を停止する運転制御手段とを備え、前記検出回路は前記櫛板を前記乗降床に取付けることにより形成されるように構成したことを特徴とする乗客コンベアの櫛板異常検出装置。
【請求項５】
前記導電体は、櫛板の櫛歯を経由して敷設されていることを特徴とする請求項１,２,３又は４記載の乗客コンベアの櫛板異常検出装置。
【請求項６】
前記導電体は、導電性塗料の塗布により形成したことを特徴とする請求項１,２,３，４又は５記載の乗客コンベアの櫛板異常検出装置。
【請求項７】
循環移動する踏板と、この踏板の踏面に進行方向に沿って設けられた複数のクリートと、この踏板への乗降を行うために金属材料で構成された乗降床と、この乗降床の先端に基部が取付けられ前記クリートと非接触で噛み合う櫛歯を先端に設けた絶縁材料で形成された櫛板と、この櫛板の前記基部と櫛歯との境界部に不連続に塗布された導電性塗料と、前記乗降床側に絶縁体を介在して取付けられ前記不連続の導電性塗料を直列に接続して検出回路を構成する複数の中継端子と、これら中継端子のうち櫛板の両端に位置する中継端子に電流を供給する電源と、前記検出回路を流れる電流の変化を検出して異常を検出する異常検出手段と、この異常検出手段による異常検出に基づいて異常を報知する異常報知手段と、前記異常検出手段による異常検出に基づいて運転を停止する運転制御手段とを備え、前記検出回路は前記櫛板を前記乗降床に取付けることにより前記不連続の導電性塗料と中継端子とが接触して形成されるように構成したことを特徴とする乗客コンベアの櫛板異常検出装置。
【請求項８】
進行方向に沿って複数のクリートを設けた踏板と、この踏板への乗降を行うための乗降床と、この乗降床の先端に取付けられ前記クリートと非接触で噛み合う櫛歯を有する櫛板と、前記櫛板の乗降床への取付け面と前記乗降床の櫛板取付け面との一方側に設けられた第１の導電体と、前記取付け面の他方側に設けられ前記第１の導電体との接触により電気的に導通される第２の導電体と、これら第１の導電体と第２の導電体との導通の変化を検出して運転を停止させる異常検出手段とを備えたことを特徴とする乗客コンベアの櫛板異常検出装置。
【発明の詳細な説明】
【技術分野】
【０００１】
本発明はエスカレーターや電動道路等の乗客コンベアの櫛板異常検出装置に係り、特に、乗降床の先端に設けられ踏板のクリートと非接触で噛み合う櫛歯を有する櫛板の異常を検出する乗客コンベアの櫛板異常検出装置に関する。
【背景技術】
【０００２】
通常、乗降床先端に設けられた櫛板の櫛歯の破損を検出する技術として、例えば特許文献１に示すような安全装置が既に提案されている。
【０００３】
【特許文献１】特表２００４−５１０６６１号公報
【発明の開示】
【発明が解決しようとする課題】
【０００４】
上記特許文献１に記載の安全装置は、櫛板の破損を検知するものであるが、乗降床の先端への櫛板の取付け不具合を事前に検出して事故の発生を未然に防止する配慮はなされておらず、例えば、櫛板の取付けが弛んで櫛板が踏板に接触したり、櫛板が浮き上がって乗客が躓いたりする事故を防止することはできなかった。
【０００５】
本発明の目的は、乗降床の先端への櫛板の取付け不具合を事前に検出して事故の発生を未然に防止し得る乗客コンベアの櫛板異常検出装置を提供することにある。
【課題を解決するための手段】
【０００６】
本発明は上記目的を達成するために、櫛板の乗降床への取付け面と前記乗降床の櫛板取付け面との一方側に第１の導電体を設けると共に、前記取付け面の他方側に前記第１の導電体と接触により電気的に導通される第２の導電体を設け、かつ、これら第１の導電体と第２の導電体との導通の変化を検出して運転を停止させる異常検出手段を設けたのである。
【発明の効果】
【０００７】
本発明は乗降床に設けた導電体と櫛板に設けた導電体とを接触させる構成としたので、仮に、乗降床への櫛板の取付けが弛むと、両導電体の接触が不安定となってそこを流れる電流が断続的となったり遮断されたりする。そこで、その電流の導通変化を異常検出手段で検出して乗客コンベアの運転を停止させることで、乗降床の先端への櫛板の取付け不具合を事前に検出して事故の発生を未然に防止することができるのである。
【発明を実施するための最良の形態】
【０００８】
以下本発明の乗客コンベアの櫛板異常検出装置を図１〜図６に示すエスカレーターの櫛板異常検出装置に基づいて説明する。
【０００９】
一般に、エスカレーター１は、上階床２と下階床３とに跨って支持された枠体４と、踏板を有し無端状に連結された複数の踏段５と、これら踏段５の移動方向両側の前記枠体４上に立設された欄干６Ａ，６Ｂと、この欄干６Ａ，６Ｂの周縁に案内されて移動する移動手摺７Ａ，７Ｂと、前記踏段５への乗り降りを行う上部乗降床８及び下部乗降床９とを有している。
【００１０】
前記上部乗降床８及び下部乗降床９とは、基本構成は同じであるので、詳細な説明は、下部乗降床９を一例として、以下、単に乗降床９として説明する。
【００１１】
乗降床９は、金属材料によって構成され、強度部材１０とその表面を覆う化粧部材１１とを有している。そして、強度部材の先端部には取付け面１０Ｓが形成されており、この取付け面１２にねじ孔１３が切られている。
【００１２】
このように構成された乗降床９の先端となる前記取付け面１２に、櫛体１４が取付けられる。この櫛体１４は、合成樹脂等の絶縁材料の成型品であり、基部１５とその先端に連なる櫛歯１６とから構成されている。くし歯６は、前記踏段５の踏板表面に進行方向に沿って形成された複数のクリート５Ｋと非接触状態で噛み合っている。そして、前記基部１５の裏面側には取付け面１７が形成され、この取付け面１７を貫通してねじ貫通孔１８が設けられている。
【００１３】
このように構成された櫛体１４の取付け面１７を、前記乗降床９の取付け面１２に置き、皿ねじ１９をねじ貫通孔１８を貫通してねじ孔１３にねじ込むことで、櫛板１４は乗降床９の先端に取付けられる。
【００１４】
ところで、ここに示す櫛板１４は、図１に示すように、製造上の理由から櫛板９の幅方向に複数に分割された櫛板片１４Ａ，１４Ｂを集合させて構成している。そして、各櫛板片１４Ａ，１４Ｂ毎に、その裏面となる取付け面１７における基部１５と櫛歯１６との境界部に、例えば第１の導電体である、ポリウレタン樹脂やアクリル樹脂にニッケル粉末を混入した導電性塗料２０を櫛板９の幅方向に沿う方向に塗布し、導電性塗料２０の両方の端２０Ｅを基部１５の端部側、云い代えれば化粧板１１側に向かって屈曲させて塗布している。したがって、櫛板１４全体を見ると、幅方向に導電性塗料２０が不連続に塗布されることになる。
【００１５】
また、両取付け面１２，１７間には、絶縁体２１が介在されており、導電塗料２０が強度部材１０に導通しないように構成されている。この絶縁体２１の前記導電性塗料２０の端２０Ｅと対向する位置には、中継端子２２が設置されている。この中継端子２２は、導電性塗料２０と同じものでもよく、導電板或いは導電箔でもよい。そして、これら中継端子２２は、隣接する櫛板片１４Ａ，１４Ｂ間においては、両方の導電性塗料２０の端２０Ｅに跨って接触するように設置されており、また、櫛板１４の両端側に位置する中継端子２２Ｅには、電源側に接続されるリード線２３が接続されている。このようにして、櫛板１４と乗降床９とに設けられた導電性塗料２０と端２０Ｅ及び中継端子２２,２２Ｅとの接触で、そこを流れる電流の導通変化を検出する検出回路を形成している。
【００１６】
このリード線２３には、図３に示すように、導電性塗料２０と端２０Ｅ及び中継端子２２,２２Ｅとで形成した検出回路の電流の変化、例えば電流の遮断や断続的流れを検出する異常検出手段である電流検知リレー２４が接続されており、さらに、絶縁トランス２５を介して電源（図せず）に接続されている。尚、図４に示すように、電流検知リレー２４の動作により作動する接点２４Ｃをエスカレーターの運転の起動停止を制御する運転制御手段や異常放置手段に設けておく。また、絶縁トランス２５は、例えば、屋外設置のエスカレーターのように、雨水等が櫛板１４の取付け面１７に滲み込んで、漏電したときに、電源側を保護するものである。この絶縁トランス２５に換えて漏電ブレーカを設置してもよい。
【００１７】
上記のように構成したエスカレーターの櫛板異常検出装置によれば、通常の運転時に、皿ねじ１９が緩んで、櫛板１４が乗降床９の取付け面１２に対して上下動した場合には、導電性塗料２０の端２０Ｅと中継端子２２,２２Ｅとの接触が断続的になる。その結果、そこを流れる断続的な通電状態が電流検知リレー２４により検出され、接点２４Ｃを作動させて運転制御手段や異常放置手段を駆動してエスカレーターの運転を停止させたり、警報を発したりして事故に至るのを防止することができる。また、皿ねじ１９の櫛板１４が大きな緩みにより、導電性塗料２０の端２０Ｅと中継端子２２,２２Ｅとの接触が完全になくなった場合にも、同様にしてエスカレーターの運転を停止させたり、警報を発したりすることができる。
【００１８】
上記実施の形態において、導電性塗料２０を検出回路の一部として構成したが、櫛板１４の緩みによる不都合を回避するためだけなら、導電性塗料２０の換わりに、導電箔や導電性フィルム、さらには導電線を用いてもよい。
【００１９】
しかし、櫛板１４の櫛歯１６と踏段５のクリート５Ｋ間に異物を巻き込んで櫛体１４が櫛歯１６と基部１５との境界部で破損するような事象を、櫛板１４の緩みの検出と同時に検出する場合には、導電箔や導電性フィルム、導電線を用いると正確に検出できない場合がある。即ち、導電箔、導電性フィルム、導電線は、張力が作用すると、ある程度伸びるので、櫛歯１６が損傷した場合、これら導電箔、導電性フィルム、導電線は直ちに切断されることはなく、櫛歯１６が破損しても異常を検出することができない。このような櫛歯１６の破損も、櫛体１４の浮き上がりと同時に検出したい場合には、導電箔、導電性フィルム、導電線に換えて導電性塗料２０を塗布したほうがよい。即ち、導電性塗料２０は櫛体１４に塗布されているので、櫛歯１６が破損した場合、直ちに容易に切断されるので、確実に櫛体１４の破損を検出することができる。
【００２０】
また、上記実施の形態は、導電性塗料２０を櫛歯１６と基部１５との境界部に塗布したので、櫛歯１６の一本一本の損傷を検出することは困難である。しかし、導電性塗料２０を、櫛歯１６の一本一本を迂回するように塗布してから櫛歯１６と基部１５との境界部に至るように塗布することで、櫛体１４の浮き上がりと同時に櫛歯１６の一本一本の損傷を検出することが可能となる。
【００２１】
ところで以上説明の実施の形態は、乗客コンベアの櫛板異常検出装置として、エスカレーターの櫛板異常検出装置を説明したが、エスカレーターに限らず、踏板に段差が生じない電動道路の櫛板異常検出装置にも適用できるのは云うまでもない。
【図面の簡単な説明】
【００２２】
【図１】本発明による乗客コンベアの櫛板異常検出装置の一実施の形態を示すエスカレーターの櫛板異常検出装置の要部概略平面図。
【図２】図１のＡ−Ａ線に沿う縦断側面図。
【図３】図１の櫛板異常検出装置の検出回路を示すブロック図。
【図４】図３の電流検知リレーの接点を示すブロック図。
【図５】エスカレーターを示す斜視図。
【図６】図５の下部乗降床を示す拡大図。
【符号の説明】
【００２３】
１…エスカレーター、２…上階床、３…下階床、４…枠体、５…踏段、５Ｋ…クリート、６Ａ，６Ｂ…欄干、７Ａ，７Ｂ…移動手摺、８…上部乗降床、９…下部乗降床、１０…強度部材、１１…化粧部材、１２…取付け面、１３…ねじ孔、１４…櫛体、１５…基部、１６…櫛歯、１７…取付け面、１８…ねじ貫通孔、１９…皿ねじ、２０…導電性塗料、２０Ｅ…端、２１…絶縁体、２２，２２Ｅ…中継端子、２３…リード線、２４…電流検知リレー、２４Ｃ…接点、２５…絶縁トランス。
【図１】
2008213990.tif 000003
【図２】
2008213990.tif 000004
【図３】
2008213990.tif 000005
【図４】
2008213990.tif 000006
【図５】
2008213990.tif 000007
【図６】
2008213990.tif 000008